【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
通信リソースが通信チャネルに分割されるマルチユーザセルラー通信システムにおける第1のトランシーバと第2のトランシーバとのアップリンク同期のための方法であって、
前記第2のトランシーバから前記第1のトランシーバに、第1のシグネチャシーケンスセットから選択された第1のシグネチャシーケンスを伝送するステップと、
前記第1のトランシーバにおいて、受信された信号を、第2のシグネチャシーケンスセットからの少なくとも1つのシグネチャシーケンスと相関させて、前記第1のシグネチャシーケンスの着信時刻を推定し、前記第2のトランシーバと前記第1のトランシーバとの間の伝送を同期させるステップとを具備し、
前記第2のトランシーバから前記第1のトランシーバに前記第1のシグネチャシーケンスを伝送する前記ステップにおいて、前記第1のシグネチャシーケンスは、少なくとも一部ゼロ相関区間シーケンスのセットからのシーケンスである
ことを特徴とする方法。
【請求項２】
前記第2のシグネチャシーケンスセットは、前記第1のシグネチャシーケンスセットの１つ以上のシグネチャシーケンスを含む
ことを特徴とする請求項１に記載の前記方法。
【請求項３】
前記受信された信号は、前記信号の１つ以上の所定ステップの遅延にわたって少なくとも1つのシグネチャシーケンスと相関が取られる
ことを特徴とする請求項１に記載の前記方法。
【請求項４】
前記第1のシグネチャシーケンスの前記ゼロ相関区間は、該区間が、前記第2のトランシーバから前記第1のトランシーバへの伝送の予期される最大遅延に実質的に相当するような長さである
ことを特徴とする請求項１または請求項２のいずれか一項に記載の前記方法。
【請求項５】
セルサイズが、前記相関ステップにおける最大遅延、および/または前記第2のトランシーバから前記第1のトランシーバへの伝送の前記予期される最大遅延を算出するのに使用される
ことを特徴とする請求項３または請求項４のいずれか一項に記載の前記方法。
【請求項６】
前記相関ステップは、
前記第1のトランシーバにおいて整合フィルタのセットを使用して、前記受信された信号を、前記信号の１つ以上の所定ステップの遅延にわたって少なくとも1つのシグネチャシーケンスと相関させるステップと、
各整合フィルタからのピーク出力を検出するステップと、
各フィルタからの前記検出されたピーク出力を使用して、前記着信時刻を推定して、前記第2のトランシーバからの前記伝送を同期させるステップとをさらに含む
ことを特徴とする請求項１から請求項５のいずれか一項に記載の前記方法。
【請求項７】
前記受信された信号を、前記受信された信号の１つ以上の所定ステップの遅延にわたって前記第2のシグネチャシーケンスセットの中の各シグネチャシーケンスと相関させるステップをさらに具備する
ことを特徴とする請求項１から請求項６のいずれか一項に記載の前記方法。
【請求項８】
各シグネチャシーケンスは、複素シーケンスの直交セットを使用してZadoff-Chuシーケンスを変調することによって得られる一般化されたチャープ様のシーケンスのセットからとられる
ことを特徴とする請求項１から請求項７のいずれか一項に記載の前記方法。
【請求項９】
変調シーケンスの前記直交セットは、離散フーリエ変換行列の行のセットおよび/または列のセットである
ことを特徴とする請求項８に記載の前記方法。
【請求項１０】
変調シーケンスの前記直交セットは、アダマール行列における行のセットおよび/または列のセットである
ことを特徴とする請求項８に記載の前記方法。
【請求項１１】
前記第1のシグネチャシーケンスは、前記第1のシグネチャシーケンスセットの中の前記シグネチャシーケンスの中からランダムに選択される
ことを特徴とする請求項１から請求項１０のいずれか一項に記載の前記方法。
【請求項１２】
前記マルチユーザセルラー通信システムは、UTRAシステムまたはEvolved UTRAシステムである
ことを特徴とする請求項１から請求項１１のいずれか一項に記載の前記方法。
【請求項１３】
前記第1のトランシーバは、基地局であり、前記第2のトランシーバは、移動端末装置である
ことを特徴とする請求項１から請求項１２のいずれか一項に記載の前記方法。
【請求項１４】
前記第1のシグネチャシーケンスセットと前記第2のシグネチャシーケンスセットは、同一のシグネチャシーケンスセットを成す
ことを特徴とする請求項１から請求項１３のいずれか一項に記載の前記方法。
【請求項１５】
特定のシグネチャシーケンスセットを表す基準が、前記第2のトランシーバに伝送され、前記基準は、前記第2のトランシーバによって、使用されるべきシグネチャシーケンスセットスキームを取得するのに使用される
ことを特徴とする請求項１から請求項１４のいずれか一項に記載の前記方法。
【請求項１６】
前記第1のシグネチャシーケンスは、ゼロ相関区間シーケンスのセットからの打ち切られたシーケンスを成す
ことを特徴とする請求項１から請求項１５のいずれか一項に記載の前記方法。
【請求項１７】
前記第2のトランシーバは、アップリンク同期の前記ステップに先立って、前記第1のトランシーバとのダウンリンク同期を実行する
ことを特徴とする請求項１から請求項１６のいずれか一項に記載の前記方法。
【請求項１８】
通信リソースが通信チャネルに分割されるマルチユーザセルラー通信システムにおける第1のトランシーバと第2のトランシーバとのアップリンク同期のためのシステムであって、
前記第2のトランシーバから伝送された、第1のシグネチャシーケンスセットから選択されたシグネチャシーケンスを受信するための手段と、
受信された信号を、第2のシグネチャシーケンスセットからの少なくとも1つのシグネチャシーケンスと相関させて、前記第1のシグネチャシーケンスの着信時刻を推定し、前記第2のトランシーバと前記第1のトランシーバとの間の伝送を同期させるための手段とを具備し、
前記第1のシグネチャシーケンスは、少なくとも一部ゼロ相関区間シーケンスのセットからのシーケンスであるように構成される
ことを特徴とするシステム。
【請求項１９】
前記受信された信号を、前記信号の１つ以上の所定ステップの遅延にわたって少なくとも1つのシグネチャシーケンスと相関させるための手段をさらに具備する
ことを特徴とする請求項１８に記載の前記システム。
【請求項２０】
前記第1のシグネチャシーケンスの前記ゼロ相関区間は、該区間が、前記第2のトランシーバから前記第1のトランシーバへの伝送の予期される最大遅延に実質的に相当するような長さであるように構成される
ことを特徴とする請求項１８または請求項１９のいずれか一項に記載の前記システム。
【請求項２１】
セルサイズが、前記相関ステップにおける最大遅延、および/または前記第2のトランシーバから前記第1のトランシーバへの伝送の前記予期される最大遅延を算出するのに使用される
ことを特徴とする請求項１９または請求項２０のいずれか一項に記載の前記システム。
【請求項２２】
相関させるための前記手段は、
前記第1のトランシーバにおいて整合フィルタのセットを使用して、前記受信された信号を、前記信号の１つ以上の所定ステップの遅延にわたって少なくとも1つのシグネチャシーケンスと相関させるための手段と、
各整合フィルタからのピーク出力を検出するための手段と、
各フィルタからの前記検出されたピーク出力を使用して、前記着信時刻を推定して、前記第2のトランシーバからの前記伝送を同期させるための手段とをさらに含む
ことを特徴とする請求項１８から請求項２１のいずれか一項に記載の前記システム。
【請求項２３】
前記受信された信号を、前記受信された信号の１つ以上の所定ステップの遅延にわたって前記第2のシグネチャシーケンスセットの中の各シグネチャシーケンスと相関させるための手段をさらに具備する
ことを特徴とする請求項１８から請求項２２のいずれか一項に記載の前記システム。
【請求項２４】
各シグネチャシーケンスは、複素シーケンスの直交セットを使用してZadoff-Chuシーケンスを変調することによって得られる一般化されたチャープ様のシーケンスのセットからとられる
ことを特徴とする請求項１８から請求項２３のいずれか一項に記載の前記システム。
【請求項２５】
変調シーケンスの前記直交セットは、離散フーリエ変換行列の行のセットおよび/または列のセットである
ことを特徴とする請求項２４に記載の前記システム。
【請求項２６】
変調シーケンスの前記直交セットは、アダマール行列における行のセットおよび/または列のセットである
ことを特徴とする請求項２４に記載の前記システム。
【請求項２７】
前記第1のシグネチャシーケンスは、前記第1のシグネチャシーケンスセットの中の前記シグネチャシーケンスの中からランダムに選択されるように構成される
ことを特徴とする請求項１８から請求項２６のいずれか一項に記載の前記システム。
【請求項２８】
前記マルチユーザセルラー通信システムは、UTRAシステムまたはEvolved UTRAシステムである
ことを特徴とする請求項１８から請求項２７のいずれか一項に記載の前記システム。
【請求項２９】
前記第1のトランシーバは、基地局であり、前記第2のトランシーバは、移動端末装置である
ことを特徴とする請求項１８から請求項２８のいずれか一項に記載の前記システム。
【請求項３０】
前記第1のシグネチャシーケンスセットと前記第2のシグネチャシーケンスセットは、同一のシグネチャシーケンスセットを成す
ことを特徴とする請求項１８から請求項２９のいずれか一項に記載の前記システム。
【請求項３１】
特定のシグネチャシーケンスセットを表す基準を前記第2のトランシーバに伝送する手段を具備し、
前記基準は、前記第2のトランシーバによって、使用されるべきシグネチャシーケンスセットスキームを取得するのに使用される
ことを特徴とする請求項１８から請求項３０のいずれか一項に記載の前記システム。
【請求項３２】
マルチユーザセルラー通信システムにおいて使用するための送信機であって、
第1のシグネチャシーケンスを受信機に伝送するための手段を具備し、
前記シグネチャシーケンスは、第1のシグネチャシーケンスセットから選択され、
前記第1のシグネチャシーケンスは、少なくとも一部ゼロ相関区間シーケンスのセットからのシーケンスであり、前記受信機が、相関によって前記シグネチャシーケンスの着信時刻を推定し、前記送信機と前記受信機との間の伝送を同期させることができるようにする
ことを特徴とする送信機。
【請求項３３】
通信リソースが通信チャネルに分割されるマルチユーザセルラー通信システムの装置であって、
マルチユーザセルラー通信システムのセルに対して指定された少なくとも一部ゼロ相関区間シーケンスのセットのシグネチャシーケンスであるシグネチャシーケンスを含む信号を受信するための受信手段を備える
ことを特徴とする装置。
【請求項３４】
前記シグネチャシーケンスのセットを指定する少なくとも１つのパラメータ値を提供するための送信手段
を備えることを特徴とする請求項３３に記載の装置。
【請求項３５】
前記シグネチャシーケンスを含む受信された前記信号の相関ピークに対応する着信時刻推定値を提供するように構成される着信時刻推定手段を備える
ことを特徴とする請求項３４に記載の装置。
【請求項３６】
前記信号が、ランダムアクセスチャネルの信号である
ことを特徴とする請求項３３に記載の装置。
【請求項３７】
少なくとも第1のトランシーバと第2のトランシーバとの間の通信のための通信リソースを有するマルチユーザセルラー通信システムであって、
請求項１から請求項１７のいずれか一項に記載の前記方法を実行するための手段を具備する
ことを特徴とするシステム。